(57)【要約】      （修正有）【課題】飲料水等を充填して販売する円筒缶に販促品を簡易に付設できる収納袋を提供する。【解決手段】上方に若干巾のテーパー状の上方部位Ｋ１を有する缶Ｋに装着する缶用販促品収納袋１であって、係着部の両側の前記係着具固定部に前記係着具を挿通させ、袋体の開口部から販促品Ｈを収納し、両面接着シートの片面の剥離シートを剥離させ前記係着部と係着具を介装して接着層で接着させると共に、両面接着シートの他面の剥離シートを剥離させ前記開口部を閉鎖するように袋体と接着層で接着し、輪状の係着具で缶Ｋのテーパー状の上方部位Ｋ１に係着する構造としたものである。【選択図】図４
0003159582.tif 000002
【実用新案登録請求の範囲】
【請求項１】
飲用水が充填されており上方に若干巾のテーパー状の上方部位を有する缶に装着する缶用販促品収納袋であって、表シートと裏シートと上部に開口部とを形成した袋体と、該袋体の開口部の何れか片側シートを延設した溶着部と、該溶着部に下辺を溶着した略矩形状の係着部と、該係着部の両側に略Ｕ字状に切り欠いた係着具固定部と、該係着具固定部に挿通させる伸縮部材から成る輪状の係着具と、前記溶着部に一辺を溶着した両面に接着層を有した両面接着シートと、該両面接着シートの両面の接着層に粘着した夫々の剥離シートと、から成り、前記係着部の両側の前記係着具固定部に前記係着具を挿通させ、前記袋体の開口部から販促品を収納し、前記両面接着シートの片面の剥離シートを剥離させ前記係着部と係着具を介装して接着層で接着させると共に、前記両面接着シートの他面の剥離シートを剥離させ前記開口部を閉鎖するように袋体と接着層で接着し、前記輪状の係着具で缶のテーパー状の上方部位に係着する構造としたことを特徴とする缶用販促品収納袋。
【考案の詳細な説明】
【技術分野】
【０００１】
本考案は、缶用販促品収納袋に関するものであり、更に詳細には、金属缶の直径が６０ｍｍ程度で飲用水が充填され上方に若干巾のテーパー状の上方部位を有する缶に装着するもので、缶の上方部位に伸縮部材の輪状の係着具で係着するのみで販促品を収納した袋体を装着でき、特にカード状の販促品に好適な缶用販促品収納袋に関するものである。
【背景技術】
【０００２】
従来、この種の金属缶は飲料水等を充填してコンビニエンスストア、スーパーマーケット、自動販売機で大量に市販されており、多数のメーカーが参入し、然も、他種類が販売され、乱売状態で販売されており、その為、各メーカーではキャンペーンを画策して缶に販促品を付設して販売することが頻繁に行われているが、缶は外形が略円筒状のもので販促品を付設しにくく、その為に、上面や下面にカップ状の収納部材を嵌着させていた。
【０００３】
然し乍ら、缶に付設するカップ状の収納部材は突出する体積が大きいことから、大量に陳列する時や配送する時には、体積が増加した分を特別に配慮しなければ成らず、従来スペースに入れきれ無いため敬遠され気味であり、その為、先に開示された、例えば、首掛け部（１１）と物品収納部（１２）がシール部（１４）を介して一体に形成された首掛け袋（１０）であって、１枚又は２枚の伸縮性のプラスチックフィルムを重ねて周縁の未シール部をシールして形成され、かつ、首掛け部（１１）の中央には、缶上端部の直径より若干小さめの直径の開孔（１３）が穿設されている。プラスチックフィルムとしてはポリプロピレンフィルムが好ましいもの（特許文献１参照）や、外形略円筒状の飲料缶４の外周側面に抱き付くように装着される、外形略Ｃ状の抱付部１と、前記抱付部１の外周側に接合された外形略短冊状または棒状の付属品保持部２と、前記付属品保持部２における前記抱付部１と連接する方の面とは反対側の面に、袋状の付属品袋７の所定部位に設けられた係止用孔８に挿通されて前記付属品袋８を係止する付属品係止用突起３とを備えているもの（特許文献２参照）や、缶Ｃの上端縁部Ｒを挟持する缶挟持部２と、該缶挟持部２に連設され、袋（又は印刷物）Ｐの上端部Ｐ１を掴持する袋掴持部３とを備え、該袋掴持部３に、袋Ｐの上端部Ｐ１が挿入されると弾性変形してその挿入を許容する一方、袋Ｐの上端部Ｐ１が挿入された後は当該上端部Ｐ１と弾性的に歯合する係止片３１を設けたもの（特許文献３参照）がある。
【特許文献１】特開２００４−１７５４１０号公報
【特許文献２】特開２００７−１６８９０７号公報
【特許文献３】特開２００９−１２０２１５号公報
【考案の開示】
【考案が解決しようとする課題】
【０００４】
然し乍ら、特許文献１に記載のものは、首掛け部（１１）の中央に開孔（１３）が穿設されているものであり、首掛け部（１１）が缶の外周より突出するもので、更に、特許文献２に記載のものは、外形略円筒状の飲料缶４の外周側面に抱き付くように装着される外形略Ｃ状の抱付部１を備えており、更には、特許文献３に記載のものは、缶Ｃの上端縁部Ｒを挟持する缶挟持部２を備えているものであり、何れも缶の周方向や上下方向に突出しており、大量に陳列や搬送する時には課題を有するものである。
【課題を解決するための手段】
【０００５】
本考案の缶用販促品収納袋は、前述の課題に鑑み、鋭意研鑽の結果、テーパー状の上方部位を有する缶に装着する缶用販促品収納袋であって、表シートと裏シートと開口部とを形成した袋体と、袋体の開口部の何れか片側シートを延設した溶着部と、溶着部に溶着した係着部と、係着部の両側に切り欠いた係着具固定部と、係着具固定部に挿通させる輪状の係着具と、溶着部に溶着した両面に接着層を有した両面接着シートと、両面接着シートの両面の接着層に粘着した剥離シートと、から成り、係着部の係着具固定部に係着具を挿通させ、袋体の開口部から販促品を収納し、両面接着シートの剥離シートを剥離させ係着部と係着具を介装して接着層で接着させると共に、両面接着シートの剥離シートを剥離させ開口部を閉鎖するように袋体と接着層で接着し、輪状の係着具で缶のテーパー状の上方部位に係着する構造としたものである。
【考案の効果】
【０００６】
本考案の缶用販促品収納袋は、表シートと裏シートと開口部とを形成した袋体と、シート状の係着部と、伸縮性を有する輪状の係着具と、両面接着シートとから成るもので、缶の上方のテーパー状の上方部位に輪ゴム状の係着具を係着するだけでワンタッチで付設することができ、特に、カード状の販促品を袋体に収納した場合、缶の外周に突出することが殆ど無く、大量に陳列しても従来のスペースに陳列でき、又、搬送の場合も従来のパッケージが使用でき、且つ、廉価に提供できる実用性の高い考案である。
【考案を実施するための最良の形態】
【０００７】
以下、本考案の缶用販促品収納袋の実施の形態の図面によって具体的に説明すると、図１は本考案の缶用販促品収納袋の実施例を説明するための展開状態の説明図であり、図２は本考案の缶用販促品収納袋の実施例を説明するための側面説明図であり、図３は本考案の缶用販促品収納袋の実施例を説明するための収納状態の背面図であり、図４は本考案の缶用販促品収納袋の実施例のボトルに装着状態を説明するための正面図である。
【０００８】
本考案は、缶用販促品収納袋に関するものであり、更に詳細には、金属缶の直径が６０ｍｍ程度で飲用水が充填され上方に若干巾のテーパー状の上方部位を有する缶に装着するもので、缶の上方部位に伸縮部材の輪状の係着具で係着するのみで販促品を収納した袋体を装着でき、特にカード状の販促品に好適な缶用販促品収納袋に関するものであり、飲用水が充填されており上方に若干巾のテーパー状の上方部位Ｋ１を有する缶Ｋに装着する缶用販促品収納袋１であって、表シート２ａと裏シート２ｂと上部に開口部２ｃとを形成した袋体２と、該袋体２の開口部２ｃの何れか片側シートを延設した溶着部３と、該溶着部３に下辺を溶着した略矩形状の係着部４と、該係着部４の両側に略Ｕ字状に切り欠いた係着具固定部４ａと、該係着具固定部４ａに挿通させる伸縮部材から成る輪状の係着具５と、前記溶着部３に一辺を溶着した両面に接着層６ａを有した両面接着シート６と、該両面接着シート６の両面の接着層６ａに粘着した夫々の剥離シート６ｂと、から成り、前記係着部４の両側の前記係着具固定部４ａに前記係着具５を挿通させ、前記袋体２の開口部２ｃから販促品Ｈを収納し、前記両面接着シート６の片面の剥離シート６ｂを剥離させ前記係着部４と係着具５を介装して接着層６ａで接着させると共に、前記両面接着シート６の他面の剥離シート６ｂを剥離させ前記開口部２ｃを閉鎖するように袋体２と接着層６ａで接着し、前記輪状の係着具５で缶Ｋのテーパー状の上方部位Ｋ１に係着する構造としたことを特徴とするものである。
【実施例】
【０００９】
即ち、本考案の缶用販促品収納袋１が装着される缶Ｋは、図４に図示するように、金属製のもので飲用水が充填されており、筒状本体にプルトップを備えた天板部が巻き締めされており、上方の若干巾にテーパー状の上方部位Ｋ１を有する直径が６０ｍｍ程度のものであり、また、収納する販促品Ｈはカード状、シート状のものが好適なものである。
【００１０】
そして、袋体２は、図１〜３に図示するように、表シート２ａと裏シート２ｂと上部に開口部２ｃとを形成しているもので、無色、有色、透明、半透明、不透明のポリプロピレン等の合成樹脂で袋状に形成するものである。
【００１１】
次に、溶着部３は、袋体２の開口部２ｃの表シート２ａか裏シート２ｂかの何れかの片側シートを延設し開口部２ｃを開け易くすると共に、後述する係着部４と両面接着シート６とをヒートシール、超音波シール等で溶着するものである。
【００１２】
次いで、係着部４は、略矩形状のもので下辺を溶着部３に溶着しており、係着具固定部４ａは、係着部４の両側に先端を稍大きい円形として略Ｕ字状に切り欠いたものである。
【００１３】
更に、係着具５は、伸縮部材から成る輪状の輪ゴムのようなもので、缶Ｋの上面の直径よりも稍小さく形成しテーパー状の上方部位Ｋ１で伸縮性を利して係着するようにしており、両側の係着具固定部４ａに片面から挿通させるものである。
【００１４】
更には、両面接着シート６は両面に接着層６ａを備えており、矩形状の一辺を溶着部３に溶着しており、夫々の剥離シート６ｂは両面接着シート６の両面の夫々の接着層６ａに剥離可能に粘着しているものである。
【００１５】
前述のように構成された本考案の缶用販促品収納袋１は、図１に図示するように、係着部４の両側に略Ｕ字状に切り欠いだ係着具固定部４ａに係着具５を挿通させるもので、係着部４は係着具固定部４ａの先端に形成した稍大きい円形に位置させるものであり、また、袋体２の開口部２ｃからカード状の販促品Ｈを収納するものであり、その手順は特に限定するものではないものであり、また、販促品Ｈもカード状、シート状以外の物でも構わないものである。
【００１６】
そして、両面接着シート６の片面の剥離シート６ｂを剥離させ係着具固定部４ａに係着具５を介装して係着部４と接着層６ａで接着させると共に、両面接着シート６の他面の剥離シート６ｂを剥離させ開口部２ｃを閉鎖するように接着層で袋体２と接着層６ａで接着するものである。
【００１７】
次いで、輪状の係着具５で缶Ｋの上方の若干巾のテーパー状の上方部位Ｋ１に上方向から伸ばすようにして係着するもので、係着具５の伸縮性によりしっかりと上方部位Ｋ１に係着されるものである。
【産業上の利用可能性】
【００１８】
本考案の缶用販促品収納袋は、表シートと裏シートと開口部とを形成した袋体と、シート状の係着部と、輪ゴム状の係着具と、両面に接着層を有した両面接着シートとから成るもので、缶の上方のテーパー状の上方部位に輪ゴム状の係着具を係着するだけでワンタッチで付設することができ、特に、カード状の販促品を袋体に収納した場合、缶の外周に突出することが殆ど無く、大量に陳列しても従来のスペースに陳列でき、又、搬送の場合も従来のパッケージが使用でき、且つ、廉価に提供できるものである。
【図面の簡単な説明】
【００１９】
【図１】図１は本考案の缶用販促品収納袋の実施例を説明するための展開状態の説明図である。
【図２】図２は本考案の缶用販促品収納袋の実施例を説明するための側面説明図である。
【図３】図３は本考案の缶用販促品収納袋の実施例を説明するための収納状態の背面図である。
【図４】図４は本考案の缶用販促品収納袋の実施例のボトルに装着状態を説明するための正面図である。
【符号の説明】
【００２０】
Ｋ      缶
Ｋ１    上方部位
Ｈ      販促品
１      缶用販促品収納袋
２      袋体
２ａ    表シート
２ｂ    裏シート
２ｃ    開口部
３      溶着部
４      係着部
４ａ    係着具固定部
５      係着具
６      両面接着シート
６ａ    接着層
６ｂ    剥離シート
【図１】
0003159582.tif 000003
【図２】
0003159582.tif 000004
【図３】
0003159582.tif 000005
【図４】
0003159582.tif 000006